(57)【特許請求の範囲】
【請求項１】
カード処理通路を形成する固定側カード案内部材および可動側カード案内部材を備え、固定側カード案内部材に対して可動側カード案内部材を開閉自在としたカード処理装置において、前記可動側カード案内部材を閉じることにより前記両カード案内部材のそれぞれに設けたグランドプレート間を導通させる導通部材を可動側カード案内部材に取り付け、この導通部材を一端部に略Ｕ字状に折り返された接触部を有する板ばねによって形成し、前記可動側カード案内部材を開閉自在に支持する支持軸に大径状に形成され周面の一部に係合部を有する摺接部を設け、この摺接部の回動を規制する回動規制手段を前記固定側カード案内部材に設け、前記可動側カード案内部材の前記グランドプレートの一端部に直角に折り曲げられた接触子を形成し、前記導通部材の接触部を前記グランドプレートの接触子と前記摺接部の周面との間で圧接させ、前記可動側カード案内部材を所定の開き角度にすることにより前記導通部材の接触部が前記摺接部の係合部に係合し可動側カード案内部材を開いた状態に保持することを特徴とするカード処理装置。
【請求項２】
請求項１記載のカード処理装置において、前記固定側カード案内部材に、前記可動側カード案内部材を閉じる直前に、前記導通部材の接触部が一時的に移動を規制される規制部を設けたことを特徴とするカード処理装置。
【発明の詳細な説明】
【０００１】
【発明の属する技術分野】
本発明は、カード処理通路を形成する固定側カード案内部材および可動側カード案内部材を備え、カード処理通路を開放するために固定側カード案内部材に対して可動側カード案内部材を開閉自在としたカード処理装置に関する。
【０００２】
【従来の技術】
カードを装置内部のカード処理通路に取り込んでカードの情報処理などを行うカード処理装置においては、カード処理通路内に詰まったカードを除去したり、随時カード処理通路を清掃する必要がある。このため、カード処理通路を形成している一方のカード案内部材を他方のカード案内部材に対して開き、カード処理通路を開放できるように構成している。この場合、カードを除去する作業や清掃作業を行い易くするために、一方のカード案内部材を所定の角度に開いた状態に保持するための保持手段を必要としていた。この保持手段としては、例えば特開平７−２４９１０６号公報に開示されたものがある。ここに開示されたものは、カード処理通路を形成する２個のカード案内部材のうち、一方のカード案内部材の側部に、クリック孔が穿設された円弧状の凹部が設けられ、他方の案内部材の側部に、先端部に設けた凸部が円弧状の凹部を摺動する板ばねが取り付けられている。したがって、両カード案内部材間を所定の開き角度にすることにより、クリック孔に板ばねの凸部が嵌合するので、板ばねを介して両カード案内部材が所定の開き角度に保持される。
【０００３】
【発明が解決しようとする課題】
上述した従来のカード処理装置は、装置の軽量化と加工を容易にするために両カード案内部材を共に合成樹脂によって形成することが多い。このような構造では、合成樹脂が絶縁材であるために、両カード案内部材間が不導通状態になるので、両カード案内部材から個別にグランドを導出する必要が生じる。上述したように、従来のカード処理装置においては、カード処理通路を開放するために、一方のカード案内部材を他方のカード案内部材に対して開くようにしているから、開く方のカード案内部材からグランドを導出するのが困難な構造になっていた。このため、一方のカード案内部材を他方のカード案内部材に対して閉じた状態で、両カード案内部材のそれぞれに設けたグランドプレート間を導通させて他方のカード案内部材から共通にグランドを導出する構造を採用していた。しかしながら、グランドの導出を共通にするには、両カード案内部材のグランドプレート間を導通する導通部材が新たに必要になり、上述した保持手段としての板ばねと併せて部品点数が増加するばかりではなく、構造が複雑化するという問題があった。
【０００４】
本発明は上記した従来の問題に鑑みなされたものであり、その目的とするところは、部品点数を削減するとともに構造の簡素化を図ったカード処理装置を提供することにある。
【０００５】
【課題を解決するための手段】
この目的を達成するために、請求項１に係る発明は、カード処理通路を形成する固定側カード案内部材および可動側カード案内部材を備え、固定側カード案内部材に対して可動側カード案内部材を開閉自在としたカード処理装置において、前記可動側カード案内部材を閉じることにより前記両カード案内部材のそれぞれに設けたグランドプレート間を導通させる導通部材を可動側カード案内部材に取り付け、この導通部材を一端部に略Ｕ字状に折り返された接触部を有する板ばねによって形成し、前記可動側カード案内部材を開閉自在に支持する支持軸に大径状に形成され周面の一部に係合部を有する摺接部を設け、この摺接部の回動を規制する回動規制手段を前記固定側カード案内部材に設け、前記可動側カード案内部材の前記グランドプレートの一端部に直角に折り曲げられた接触子を形成し、前記導通部材の接触部を前記グランドプレートの接触子と前記摺接部の周面との間で圧接させ、前記可動側カード案内部材を所定の開き角度にすることにより前記導通部材の接触部が前記摺接部の係合部に係合し可動側カード案内部材を開いた状態に保持するものである。
したがって、導通部材は単にグランドプレート間の導通をとるのみならず、可動側カード案内部材が開いた状態を保持する部材としても機能する。また、導通部材を係合させる係合部を設けるに当たり既存の部品が利用できる。
【０００６】
また、請求項２に係る発明は、請求項１に係る発明において、前記固定側カード案内部材に、前記可動側カード案内部材を閉じる直前に、前記導通部材の接触部が一時的に移動を規制される規制部を設けたものである。
したがって、導通部材の接触部が規制部によって一時的に移動が規制されることにより、接触部が一時的に撓んだ後に固定側カード案内部材のグランドプレートに摺接する。
【０００８】
【発明の実施の形態】
以下、本発明の実施の形態を図に基づいて説明する。図１は本発明に係るカード処理装置の一部を破断して示す側面図である。図２は同じくアッパーケースを省略した平面図、図３は同じくアッパーケースを開いた状態を示す側面図である。図４は同じくアッパーケースを開く動作を説明するための要部を拡大し一部を破断して示す側面図である。図５は同じくアッパーケースを閉じる動作を説明するための要部を拡大し一部を破断して示す側面図である。
【０００９】
図１に示すように、全体を符号１で示すものは、本発明に係る磁気カード処理装置であって、共に合成樹脂によって一面が開口した略箱状に形成された固定側カード案内部材としてのロアーケース２と、可動側カード案内部材としてのアッパーケースとによって形成されている。ロアーケース２の上部とアッパーケース３の底部は、共に略平坦状に形成されカード案内部５，６を構成し、図１に示すように、アッパーケース３がロアーケース２に対して閉じた状態のときに、これらカード案内部５，６が互いに対向しカード処理通路７が形成される。８はカード処理通路７の前端に設けたカード挿入口兼排出口である。
【００１０】
１０はロアーケース２の下部開口を覆う導電材によって形成したグランドプレートとしての下カバーであって、表面の一部に端子片１１が取り付けられている。この端子片１１は、ロアーケース２が図示を省略したブラケットに固定されることにより、後述するように、ロアーケース２とアッパーケース３との共通のグランド端子として機能する。１２はロアーケース２の前端側の側部に突設された係合突子、１３はロアーケース２の後端側の側部に立設された回動規制手段としての回動規制片である。
【００１１】
図２に示すように、ロアーケース２のカード案内面７には、図中矢印Ａ−Ｂ方向、すなわちカード挿入方向および排出方向に延在する長方形の窓１５と正方形の窓１９とが穿設されている。窓１５の両端部には一対のピンチローラ１６，１７が回転自在に支持されており、これらピンチローラ１６，１７間には、上部がカード処理通路７に臨む従動ベルト１８が、矢印Ａ−Ｂ方向に延在するように張架されている。窓１９には、上部がカード処理通路７に臨むピンチローラ２０が回転自在に支持されている。２１はタッチローラであって、カード案内面７に穿設した窓（図示せず）に、上部がカード処理通路７に臨むように回転自在に支持されている。
【００１２】
図１において、２３はアッパーケース３の上部開口を覆う導電材で形成したグランドプレートとしての上カバーであって、後端部の一部が下方に直角に折り曲げられ接触子２３ａが形成されている。２４はアッパーケース３内に内蔵された制御基板であって、上カバー２３に取り付けられている。２５はこの制御基板２４上に設けられたグランド端子のオンボードコンタクタであって、制御基板２４と上カバー２３とはこのオンボードコンタクタ２５を介して電気的に接続されている。２６はアッパーケース３の前端から突出した開閉レバーであって、基端部がアッパーケース３内に回動自在に支持されている。
【００１３】
２７は下端にフック部２７ａが形成された係止用のレバーであって、アッパーケース３の前端側の側部に突設した小軸２８に回動自在に支持され、フック部２７ａを係合突子１２に係合させることにより、アッパーケース３をロアーケース２に閉じた状態が保持される。この状態から、開閉レバー２６を矢印Ｃ方向に回動操作することにより、この開閉レバー２６に連動して係止用のレバー２７が小軸２８を回動中心として反時計方向に回動させて、フック部２７ａと係合突子１２との係合を解除して、アッパーケース３をロアーケース２から開くことが可能になるように構成されている。
【００１４】
３０は駆動ローラであって、図２に示すアッパーケース３の両側部間に支持された駆動軸３１に軸着され、この駆動軸３１はウォーム３３およびウォームホイール３４を介してモータ３２の回転が伝達される。図１において、３５は従動ローラであって、この従動ローラ３５と駆動ローラ３０との間には駆動ベルト３６が張架され、この駆動ベルト３６には２個のテンションローラ３７，３８が添接され、この駆動ベルト３５は上述した従動ベルト１８とピンチローラ２０に対接している。図２において、３９はアッパーケース３に取り付けられた磁気ヘッドであって、この磁気ヘッド３９の表面には上述したタッチローラ２１が対接している。
【００１５】
図２において、４０は支持軸であって、ロアーケース２の後端部の両側に立設した互いに対向する一対の支持壁２ａ，２ａ間に横架され、この支持軸４０の一端には支持壁２ａから突出し大径部に形成した摺接部４１が設けられ、他端の支持壁２ａから突出した部位にはＥリング４２が係着されている。この支持軸４０はアッパーケース３の後端側の両側部間に貫挿されており、アッパーケース３の後端部はこの支持軸４０を回動中心として図１中時計方向または反時計方向に回動自在に支持されている。また、この支持軸４０は、後述するが前記回動規制片１３によって回転が規制されている。
【００１６】
図１に示すように、アッパーケース３を時計方向に回動し、ロアーケース２に閉じることにより、アッパーケース３とロアーケース２のそれぞれのカード案内部５，６が対向し、前述したようにカード処理通路７が形成される。一方、図３に示すように、アッパーケース３を反時計方向に回動し、ロアーケース２から開くことにより、カード処理通路７が開放され、カード処理通路７内に詰まったカードの除去やカード処理通路７の清掃等が行えるように構成されている。
【００１７】
図１に示すように、支持軸４０の摺接部４１の周部には摺接部４１の軸線方向に延在する断面がコ字状に形成した第１の係合溝４３と第２の係合溝４４とが設けられており、第１の係合溝４３は図中下方を指向している。一方、第２の係合溝４４は、図４（ａ）に示すように、アッパーケース３をロアーケース２に対して閉じた状態において、後述する導通片５０の突起部５４ａが摺接部４１に接触している部位から反時計方向に角度α（約１２０°）だけ回動した位置に位置付けられている。
【００１８】
図４に示すように、この支持軸４０の第１の係合溝４３には、上述したロアーケース２の回動規制片１３が係入されており、支持軸４０は回転が規制されている。図２において、４５は支持軸４０に巻回したねじりコイルばねであって、一端がロアーケース２の支持壁２ａに係止され、他端がアッパーケース３の後端に当接し、図１においてアッパーケース３に支持軸４０を回動中心として図中反時計方向の回転モーメントを付与している。
【００１９】
図４において、５０は導電性の板ばねによって形成した導通片であって、矩形状の窓５０ａと円形の窓５０ｂとが穿設されており、アッパーケース３の後端側の側部に突設した断面が逆Ｌ字状の係合片５１に窓５０ａを嵌合させ、図中上方に移動させて窓５０ａの下端縁を係合片５１とアッパーケース３の側部とに挟持する。駆動軸３１に嵌挿したベアリング５２に窓５０ｂを嵌合することにより、この導通片５０はアッパーケース３の側部に密着して取り付けられる。
【００２０】
この導通片５０は、一方の側端が直角に折り曲げられ折曲部５３が形成されており、この折曲部５３の上端部は略Ｕ字状に折り返され第１の接触部５４が形成され、下端部は半円形に折り返され第２の接触部５５が形成されている。このうち、第１の接触部５４は、上カバー２３の接触子２３ａと支持軸４０の摺接部４１との間に圧接された状態で嵌装され、この第１の接触部５４の摺接部４１に接触する部位が側面視くの字状に形成され、第２の係合溝４４に係合する突起部５４ａが設けられている。
【００２１】
５７はロアーケース２の側部の一部が水平方向に延設され下カバー１０を覆う延設部であって、この延設部５７の一部に下カバー１０の一部が露呈する窓５８が設けられている。図４（ａ）に示すように、アッパーケース３がロアーケース２に対して閉じた状態のときに、導通片５０の第２の接触部５５は、延設部５７の窓５８に臨むようにして下カバー１０に接触する。したがって、アッパーケース３をロアーケース２に対して閉じた状態のときには、下カバー１０と上カバー２３とは、この導通片５０を介して導通しており、アッパーケース３は、上カバー２３、導通片５０、下カバー１０を介して、ロアーケース２と共通に端子片１１からグランドが導出されている。図５（ａ）に示すように、アッパーケース３をロアーケース２に対して閉じる直前に、導通片５０の第２の接触部５５が下カバー１０に接触する前に、延設部５７の窓５８の規制部としてのエッジ部５９に当接して一時的に移動が規制されるように構成されている。
【００２２】
次に、このような構成のカード処理装置におけるカード処理動作を説明する。
図１に示すように、アッパーケース３の係止用のレバー２７のフック部２７ａをロアーケース２の係合突子１２に係合させ、アッパーケース３をロアーケース２に対して閉じた状態とする。この状態で、カード挿入口兼排出口８からカード（図示せず）を挿入すると、図示を省略したセンサがカードを検出するので、モータ３２が駆動し駆動ローラ３０が回転を開始し、駆動ベルト３６が矢印Ａ方向に走行する。
【００２３】
したがって、従動ローラ３５とピンチローラ２０とが対接する位置までカードの先端が挿入されると、カードは駆動ベルト３６とピンチローラ２０とによって挟持されるようにしてカード処理通路７内を矢印Ａ方向に搬送される。カードが磁気ヘッド３９を通過するときにカードに記録された情報が読み書きされ、カードの処理が終了すると、モータ３２が逆方向に駆動するので、駆動ベルト３６が矢印Ｂ方向に走行することにより、カードはカード挿入口兼排出口８から排出される。
【００２４】
ここで、カード処理通路７内でカードが詰まったり、カード処理通路７の清掃等を行う場合には、図１に二点鎖線で示すように、開閉レバー２６を矢印Ｃ方向に回動操作することにより、係止用のレバー２７が小軸２８を回動中心として反時計方向に回動される。したがって、係止用のレバー２７のフック部２７ａと係合突子１２との係合が解除されることにより、ねじりコイルばね４５の回転モーメントによって、アッパーケース３は支持軸４０を回動中心として図１中わずかに反時計方向に回動するので、フック部２７ａと係合突子１２との係合が解除された状態に保持される。
【００２５】
アッパーケース３を把持して支持軸４０を回動中心として反時計方向に回動させることにより、図４（ｂ）に示すように、導通片５０もアッパーケース３と一体的に回動するので、第１の接触部５４が支持軸４０の摺接部４１の周りを回動する。アッパーケース３を角度αだけ回動させることにより、第１の接触部５４の突起部５４ａが摺接部４１の第２の係合溝４４に係合し、この係合は、第１の接触部５４が上カバー２３の接触子２３ａと支持軸４０の摺接部４１との間に圧接された状態で嵌装されていることにより、この第１の接触部５４のばね力によって保持される。したがって、導通片５０は同図（ｂ）の状態が保持されるから、この導通片５０を介して、アッパーケース３が図３に示すようにロアーケース２から角度αだけ開いた状態で保持される。
【００２６】
また、導通片５０が板ばねによって形成されていることにより、突起部５４ａが第２の係合溝４４に係合するときに、第１の接触部５４の弾性変形により、操作者に節度感が得られる。さらに、このとき、第２の係合溝４４が断面コ字状に形成されていることにより、この第２の係合溝４４のエッジ部４４ａの先端部の断面が尖鋭に形成されているので、このエッジ部４４ａの先端に突起部５４ａが衝突して衝突音が発生することにより、操作者はこの衝突音によっても係合を確認することができる。
【００２７】
アッパーケース３を開いた状態から再び閉じる場合には、図４（ｂ）の状態から、アッパーケース３を、支持軸４０を回動中心として時計方向に回動させることにより、導通片５０の第１の接触部５４を弾性変形させ、突起部５４ａと支持軸４０の第２の係合溝４４との係合を強制的に解除する。アッパーケース３を角度αだけ回動させることにより、図１に示すように、係止用のレバー２７のフック部２７ａが係合突子１２に係合するので、アッパーケース３が閉じられ、図５（ｂ）に示すように、導通片５０の第２の接触部５５が下カバー１０に接触する。
【００２８】
このアッパーケース３が閉じられる直前に、図５（ａ）に示すように、延設部５７の窓５８のエッジ部５９に導通片５０の第２の接触部５５に当接し、一時的に第２の接触部５５の移動が規制されることにより、この第２の接触部５５が矢印Ｄ方向に撓む。したがって、同図（ｂ）に示すように、アッパーケース３を閉じるときに、この第２の接触部５５が蓄積されたばね力によって、瞬間的に矢印Ｄと反対方向に揺動するので、第２の接触部５５が下カバー１０上を摺接する。このため、下カバー１０との接触不良が防止できるばかりでなく、下カバー１０の接触面と第２の接触部５５がセルフクリーニングされる。
【００２９】
このように、アッパーケース３を開いた状態に保持するのに、新たな部材を追加することなく導通片５０によって兼用することができるから部品点数を削減できる。また、導通片５０の突起部５４ａが係合する第２の係合溝４４を支持軸４０に設けたことにより、既存部品である支持軸４０を導通片５０の係合部に利用できるので部品点数を削減できる。
【００３０】
なお、本実施の形態では、導通片５０の突起部５４ａが係合する部材を支持軸４０の摺接部４１としたが、この摺接部４１と同じような構造の部材をロアーケース２に一体的に取り付けてもよく、また、ロアーケース２に一体形成してもよく、要はアッパーケース３の開閉にかかわらず移動を規制された部材であればよい。
【００３１】
【発明の効果】
以上説明したように、請求項１に係る発明によれば、可動側カード案内部材を開いた状態に保持するのに、新たな部材を追加することなく導通部材によって兼用することができるから部品点数を削減できる。また、既存部品である支持軸を導通部材の係合部に利用できるので、部品点数を削減できる。
【００３２】
また、請求項２に係る発明によれば、接触不良が防止できるばかりでなく、グランドプレートの接触面と導通部材の接触部がセルフクリーニングされる。
【図面の簡単な説明】
【図１】  本発明に係るカード処理装置の一部を破断して示す側面図である。
【図２】  本発明に係るカード処理装置において、アッパーケースを省略した平面図である。
【図３】  本発明に係るカード処理装置において、アッパーケースを開いた状態を示す側面図である。
【図４】  本発明に係るカード処理装置において、アッパーケースを開く動作を説明するための要部を拡大し一部を破断して示す側面図で、同図（ａ）は閉じた状態を示し、同図（ｂ）は開いた状態を示す。
【図５】  本発明に係るカード処理装置において、アッパーケースを閉じる動作を説明するための要部を拡大し一部を破断して示す側面図で、同図（ａ）は閉じる直前の状態を示し、同図（ｂ）は閉じた状態を示す。
【符号の説明】
１…カード処理装置、２…ロアーケース、３…アッパーケース、５，６…案内面、７…カード処理通路、８…カード挿入口兼排出口、１０…下カバー、１１…端子片、１３…回動規制片、２３…上カバー、２４…制御基板、２５…皿ねじ、２６…開閉レバー、２７…係止用のレバー、３０…駆動ローラ、３２…モータ、３６…駆動ベルト、４０…支持軸、４１…摺接部、４３…第１の係合溝、４４…第２の係合溝、５０…導通片、５４…第１の接触部、５４ａ…突起部、５５…第２の接触部、５９…エッジ部。
【図１】
0004259022.tif 000002
【図２】
0004259022.tif 000003
【図３】
0004259022.tif 000004
【図４】
0004259022.tif 000005
【図５】
0004259022.tif 000006